(57)【特許請求の範囲】
【請求項１】
物体側から順に、負の屈折力を持つ第１レンズ群、正の屈折力を持つ第２レンズ群、及び正の屈折力を持つ第３レンズ群から構成され、
短焦点距離端から長焦点距離端への変倍に際し、第１レンズ群と第２レンズ群のレンズ群間隔が減少し、第２レンズ群と第３レンズ群のレンズ群間隔が増加するように、第１レンズ群ないし第３レンズ群が光軸方向に移動し、
第２レンズ群は、その最も像側に負レンズを有しており、
次の条件式（１）、（２）、（３）、（５）及び（６）を満足することを特徴とするズームレンズ系。
（１）ｄ３Ｉｗ−ｄ３Ｉｍ＞０
（２）０＜（ｄ３Ｉｗ−ｄ３Ｉｔ）／ｆｔ＜０．２
（３）（ｄ１２ｗ＋ｄ２３ｗ）／ｆｔ＜１．０
（５）３．７７３≦ｍ２ｔ／ｍ２ｗ＜５．５
（６）ｆｐ／ｆｗ≦−１．５８４
但し、
ｄ３Ｉｗ：短焦点距離端における第３レンズ群の最も像側の面と撮像面との間隔、
ｄ３Ｉｍ：中間焦点距離ｆｍ（ｆｍ＝（ｆｗ・ｆｔ）1/2、ｆｗは短焦点距離端における全系の焦点距離、ｆｔは長焦点距離端における全系の焦点距離）における第３レンズ群の最も像側の面と撮像面との間隔、
ｄ３Ｉｔ：長焦点距離端における第３レンズ群の最も像側の面と撮像面との間隔、
ｄ１２ｗ：短焦点距離端における第１レンズ群の最も像側の面と第２レンズ群の最も物体側の面との間隔、
ｄ２３ｗ：短焦点距離端における第２レンズ群の最も像側の面と第３レンズ群の最も物体側の面との間隔、
ｆｔ：長焦点距離端における全系の焦点距離、
ｍ２ｔ：長焦点距離端における無限遠合焦時の第２レンズ群の横倍率、
ｍ２ｗ：短焦点距離端における無限遠合焦時の第２レンズ群の横倍率、
ｆｐ：第２レンズ群中の最も像側の負レンズの焦点距離、
ｆｗ：短焦点距離端における全系の焦点距離。
【請求項２】
請求項１記載のズームレンズ系において、第３レンズ群は、その最も物体側に正レンズを有しており、次の条件式（４）を満足するズームレンズ系。
（４）１．２＜（ｒａ−ｒｂ）／（ｒａ＋ｒｂ）＜１０．０
但し、
ｒａ：第３レンズ群中の最も物体側の正レンズの物体側の面の曲率半径、
ｒｂ：第３レンズ群中の最も物体側の正レンズの像側の面の曲率半径。
【請求項３】
請求項２記載のズームレンズ系において、第３レンズ群中の最も物体側の正レンズは、少なくとも一方の面が非球面であるズームレンズ系。
【請求項４】
請求項１ないし３のいずれか１項記載のズームレンズ系において、第２レンズ群中の最も像側の負レンズは、像側に凹面を向けた負メニスカスレンズであるズームレンズ系。
【請求項５】
請求項１ないし４のいずれか１項記載のズームレンズ系において、第３レンズ群は、フォーカシング時に移動するフォーカスレンズ群であり、無限遠物体から有限距離物体へ合焦させるに際し第３レンズ群を物体側に繰り出してフォーカシングを行うズームレンズ系。
【請求項６】
請求項１ないし５のいずれか１項記載のズームレンズ系を備えた電子撮像装置。
【発明の詳細な説明】
【技術分野】
【０００１】
本発明は、ズームレンズ系及びこれを用いた電子撮像装置に関する。
【背景技術】
【０００２】
近年、デジタルカメラの小型化が進んでおり、撮影光学系に対しても一層の小型化が要望されている。また、撮像素子の高画素化が進んでいるために、それに対応して撮影光学系は高解像度であることが要求されている。また、デジタルカメラの撮影光学系はシェーディングや色ずれ防止のために、レンズ最終面からの射出光が撮像面にできるだけ垂直に入射する、いわゆるテレセントリック性の良いことが求められる。さらに、小型のデジタルカメラ用ズームレンズ系に対して、短焦点距離端の画角が広角であって高変倍であることへの需要が高まってきている。
【０００３】
従来、変倍比が４倍を超えるズームレンズ系として、正レンズ群先行型（いわゆるポジティブリード型）のものが用いられてきた。しかし、正レンズ群先行型は高変倍比を確保するのに有利である反面、レンズ構成枚数が多く高コストになりやすいという欠点がある。
【０００４】
これに対し、低コスト化や小型化への需要から、変倍比が３−４程度のズームレンズ系として、負レンズ群先行型（いわゆるネガティブリード型）のものが増えてきている。負レンズ群先行型は、短焦点距離端の広角化とレンズ系の小型化（特に前玉径の小径化）ができるため、収納時にレンズ群の間隔を圧縮して収納するいわゆる沈胴式ズームレンズカメラ用に適している。負レンズ群先行型の中でも、射出瞳位置を像面より十分遠方にしてテレセントリック性を維持する必要から、負正正の３群レンズ構成のズームレンズ系がよく用いられている（特許文献１−４）。また、変倍比が４程度の負レンズ群先行型として、負正正負の４群レンズ構成のズームレンズ系も知られている（特許文献５、６）。
【先行技術文献】
【特許文献】
【０００５】
【特許文献１】特開２００７−９３９７１号公報
【特許文献２】特開２００９−３７１２５号公報
【特許文献３】特開２００９−２１０７４１号公報
【特許文献４】特開２００９−２５１３７１号公報
【特許文献５】特開２０１０−２６４０７号公報
【特許文献６】特開２０１０−１４５６９６号公報
【発明の概要】
【発明が解決しようとする課題】
【０００６】
しかし、特許文献１のズームレンズ系は、比較的レンズ構成枚数が少なく小型であるが、変倍比が３程度で不十分であり、また低コスト化が十分に達成されているとは言えない。特許文献２−４のズームレンズ系は、比較的レンズ構成枚数が少なく小型であり変倍比が４程度であるが、低コスト化が十分に達成されているとは言えない。また、特許文献５、６のズームレンズ系は、負正正負の４群レンズ構成を採っているため、加工及び組立調整の誤差によってコストが増大してしまう。
【０００７】
本発明は従って、負正正の３群レンズ構成でありながら、変倍比が４−５倍程度で低コストであり、短焦点距離端から長焦点距離端への変倍全域に亘って高解像度であり、無限遠物体から有限距離物体への撮影距離の変化に際して収差変動が少ないズームレンズ系及びこれを用いた電子撮像装置を得ることを目的とする。
【課題を解決するための手段】
【０００８】
本発明のズームレンズ系は、物体側から順に、負の屈折力を持つ第１レンズ群、正の屈折力を持つ第２レンズ群、及び正の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が増加するように、第１レンズ群ないし第３レンズ群が光軸方向に移動し、第２レンズ群は、その最も像側に負レンズを有しており、次の条件式（１）、（２）、（３）、（５）及び（６）を満足することを特徴としている。
（１）ｄ３Ｉｗ−ｄ３Ｉｍ＞０
（２）０＜（ｄ３Ｉｗ−ｄ３Ｉｔ）／ｆｔ＜０．２
（３）（ｄ１２ｗ＋ｄ２３ｗ）／ｆｔ＜１．０
（５）３．７７３≦ｍ２ｔ／ｍ２ｗ＜５．５
（６）ｆｐ／ｆｗ≦−１．５８４
但し、
ｄ３Ｉｗ：短焦点距離端における第３レンズ群の最も像側の面と撮像面との間隔[mm]、
ｄ３Ｉｍ：中間焦点距離ｆｍ（ｆｍ＝（ｆｗ・ｆｔ）1/2、ｆｗは短焦点距離端における全系の焦点距離、ｆｔは長焦点距離端における全系の焦点距離）における第３レンズ群の最も像側の面と撮像面との間隔[mm]、
ｄ３Ｉｔ：長焦点距離端における第３レンズ群の最も像側の面と撮像面との間隔[mm]、
ｄ１２ｗ：短焦点距離端における第１レンズ群の最も像側の面と第２レンズ群の最も物体側の面との間隔[mm]、
ｄ２３ｗ：短焦点距離端における第２レンズ群の最も像側の面と第３レンズ群の最も物体側の面との間隔[mm]、
ｆｔ：長焦点距離端における全系の焦点距離[mm]、
ｍ２ｔ：長焦点距離端における無限遠合焦時の第２レンズ群の横倍率、
ｍ２ｗ：短焦点距離端における無限遠合焦時の第２レンズ群の横倍率、
ｆｐ：第２レンズ群中の最も像側の負レンズの焦点距離[mm]、
ｆｗ：短焦点距離端における全系の焦点距離[mm]、
である。
【０００９】
本発明のズームレンズ系は、第３レンズ群が、その最も物体側に正レンズを有しており、さらに次の条件式（４）を満足することが好ましい。
（４）１．２＜（ｒａ−ｒｂ）／（ｒａ＋ｒｂ）＜１０．０
但し、
ｒａ：第３レンズ群中の最も物体側の正レンズの物体側の面の曲率半径[mm]、
ｒｂ：第３レンズ群中の最も物体側の正レンズの像側の面の曲率半径[mm]、
である。
【００１０】
第３レンズ群中の最も物体側の正レンズは、少なくとも一方の面を非球面（例えば非球面樹脂レンズ）とすることができる。
【００１３】
第２レンズ群中の最も像側の負レンズは、像側に凹面を向けた負メニスカスレンズとすることができる。
【００１４】
第３レンズ群を、フォーカシング時に移動するフォーカスレンズ群として、無限遠物体から有限距離物体へ合焦させるに際し第３レンズ群を物体側に繰り出してフォーカシングを行うことができる。
【００１５】
本発明は、デジタルカメラやビデオカメラ等の電子撮像装置の態様では、以上のように構成されたズームレンズ系を備えている。
【発明の効果】
【００１６】
本発明によれば、負正正の３群レンズ構成でありながら、変倍比が４−５倍程度で低コストであり、短焦点距離端から長焦点距離端への変倍全域に亘って高解像度であり、無限遠物体から有限距離物体への撮影距離の変化に際して収差変動が少ないズームレンズ系及びこれを用いた電子撮像装置を得ることができる。
【図面の簡単な説明】
【００１７】
【図１】本発明によるズームレンズ系の数値実施例１の長焦点距離端における無限遠合焦時のレンズ構成図である。
【図２】図１の構成における諸収差図である。
【図３】同数値実施例１の中間焦点距離における無限遠合焦時のレンズ構成図である。
【図４】図３の構成における諸収差図である。
【図５】同数値実施例１の短焦点距離端における無限遠合焦時のレンズ構成図である。
【図６】図５の構成における諸収差図である。
【図７】本発明によるズームレンズ系の数値実施例２の長焦点距離端における無限遠合焦時のレンズ構成図である。
【図８】図７の構成における諸収差図である。
【図９】同数値実施例２の中間焦点距離における無限遠合焦時のレンズ構成図である。
【図１０】図９の構成における諸収差図である。
【図１１】同数値実施例２の短焦点距離端における無限遠合焦時のレンズ構成図である。
【図１２】図１１の構成における諸収差図である。
【図１３】本発明によるズームレンズ系の数値実施例３の長焦点距離端における無限遠合焦時のレンズ構成図である。
【図１４】図１３の構成における諸収差図である。
【図１５】同数値実施例３の中間焦点距離における無限遠合焦時のレンズ構成図である。
【図１６】図１５の構成における諸収差図である。
【図１７】同数値実施例３の短焦点距離端における無限遠合焦時のレンズ構成図である。
【図１８】図１７の構成における諸収差図である。
【図１９】本発明によるズームレンズ系の数値実施例４の長焦点距離端における無限遠合焦時のレンズ構成図である。
【図２０】図１９の構成における諸収差図である。
【図２１】同数値実施例４の中間焦点距離における無限遠合焦時のレンズ構成図である。
【図２２】図２１の構成における諸収差図である。
【図２３】同数値実施例４の短焦点距離端における無限遠合焦時のレンズ構成図である。
【図２４】図２３の構成における諸収差図である。
【図２５】本発明によるズームレンズ系の数値実施例５の長焦点距離端における無限遠合焦時のレンズ構成図である。
【図２６】図２５の構成における諸収差図である。
【図２７】同数値実施例５の中間焦点距離における無限遠合焦時のレンズ構成図である。
【図２８】図２７の構成における諸収差図である。
【図２９】同数値実施例５の短焦点距離端における無限遠合焦時のレンズ構成図である。
【図３０】図２９の構成における諸収差図である。
【図３１】本発明によるズームレンズ系の数値実施例６の長焦点距離端における無限遠合焦時のレンズ構成図である。
【図３２】図３１の構成における諸収差図である。
【図３３】同数値実施例６の中間焦点距離における無限遠合焦時のレンズ構成図である。
【図３４】図３３の構成における諸収差図である。
【図３５】同数値実施例６の短焦点距離端における無限遠合焦時のレンズ構成図である。
【図３６】図３５の構成における諸収差図である。
【図３７】本発明によるズームレンズ系の数値実施例７の長焦点距離端における無限遠合焦時のレンズ構成図である。
【図３８】図３７の構成における諸収差図である。
【図３９】同数値実施例７の中間焦点距離における無限遠合焦時のレンズ構成図である。
【図４０】図３９の構成における諸収差図である。
【図４１】同数値実施例７の短焦点距離端における無限遠合焦時のレンズ構成図である。
【図４２】図４１の構成における諸収差図である。
【図４３】本発明によるズームレンズ系のズーム軌跡を示す簡易移動図である。
【発明を実施するための形態】
【００１８】
本実施形態のズームレンズ系は、図４３の簡易移動図に示すように、物体側から順に、負の屈折力を持つ第１レンズ群Ｇ１、正の屈折力を持つ第２レンズ群Ｇ２、及び正の屈折力を持つ第３レンズ群Ｇ３から構成されている。第２レンズ群Ｇ２の物体側の面に接する光軸直交面上に位置する絞りＳ（図４３では第２レンズ群Ｇ２よりやや物体側に描いている）は、第２レンズ群Ｇ２と一体に移動する。Ｉは像面である。第３レンズ群Ｇ３は、フォーカシング時に移動するフォーカスレンズ群である（無限遠物体から有限距離物体へ合焦させるに際し第３レンズ群を物体側に繰り出してフォーカシングを行う）。
【００１９】
このズームレンズ系は、短焦点距離端（Ｗ）から中間焦点距離（Ｍ）を経由した長焦点距離端（Ｔ）への変倍（ズーミング）に際し、第１レンズ群Ｇ１と第２レンズ群Ｇ２のレンズ群間隔が減少し、第２レンズ群Ｇ２と第３レンズ群Ｇ３のレンズ群間隔が増加するように、第１レンズ群Ｇ１ないし第３レンズ群Ｇ３の全てのレンズ群が光軸方向に移動する。
【００２０】
より具体的には、第１レンズ群Ｇ１は、全数値実施例１−７を通じて、短焦点距離端から中間焦点距離を経由した長焦点距離端への変倍に際し、中間焦点距離において一旦像側に移動してから全体として物体側に移動する。
第２レンズ群Ｇ２は、全数値実施例１−７を通じて、短焦点距離端から中間焦点距離を経由した長焦点距離端への変倍に際し、単調に物体側に移動する。
【００２１】
第３レンズ群Ｇ３は、数値実施例１、７では、短焦点距離端から中間焦点距離を経由した長焦点距離端への変倍に際し、単調に像側に移動する。
第３レンズ群Ｇ３は、数値実施例２、４では、短焦点距離端から中間焦点距離を経由した長焦点距離端への変倍に際し、短焦点距離端から中間焦点距離までは単調に像側に移動し、中間焦点距離から長焦点距離端までは光軸方向に移動しない。
第３レンズ群Ｇ３は、数値実施例３では、短焦点距離端から中間焦点距離を経由した長焦点距離端への変倍に際し、物体側に凸の軌跡を描きながら全体として像側に移動する。つまり、第３レンズ群Ｇ３の像側への移動量は、短焦点距離端から中間焦点距離までは相対的に小さく、中間焦点距離から長焦点距離端までは相対的に大きい。
第３レンズ群Ｇ３は、数値実施例５、６では、短焦点距離端から中間焦点距離を経由した長焦点距離端への変倍に際し、像側に凸の軌跡を描きながら全体として像側に移動する。具体的に、第３レンズ群Ｇ３は、短焦点距離端から中間焦点距離までは像側に移動した後、中間焦点距離から長焦点距離端までは若干量だけ物体側に移動する（戻る）。
【００２２】
第１レンズ群Ｇ１は、全数値実施例１−７を通じて、物体側から順に、負レンズ１１及び正レンズ１２の２枚のレンズで構成される。正レンズ１２は、全数値実施例１−７を通じて、その両面が非球面（例えば非球面樹脂レンズ）である。
【００２３】
第２レンズ群Ｇ２は、数値実施例１−５では、物体側から順に、正レンズ２１及び負レンズ２２の２枚のレンズで構成される。正レンズ２１は、数値実施例１、２、４では、その物体側の面が非球面（例えば非球面樹脂レンズ）であり、数値実施例３、５では、その両面が非球面（例えば非球面樹脂レンズ）である。負レンズ２２は、数値実施例１−５を通じて、その両面が非球面（例えば非球面樹脂レンズ）である。
第２レンズ群Ｇ２は、数値実施例６、７では、物体側から順に、物体側から順に位置する正レンズ２１’と負レンズ２２’の接合レンズ、及び負レンズ２３’の３枚のレンズで構成される。負レンズ２３’は、数値実施例６、７を通じて、その両面が非球面（例えば非球面樹脂レンズ）である。
【００２４】
第３レンズ群Ｇ３は、全数値実施例１−７を通じて、１枚の正レンズ３１で構成される。この正レンズ３１は、数値実施例１−３、５−７では、その両面が非球面（例えば非球面樹脂レンズ）であり、数値実施例４では、その両面が球面である（非球面ではない）。
【００２５】
条件式（１）及び（２）は、短焦点距離端から中間焦点距離を経由した長焦点距離端への変倍（ズーミング）に際する第３レンズ群Ｇ３の移動軌跡を規定するものであり、短焦点距離端から長焦点距離端にかけての収差変動を抑えるための条件式である。
【００２６】
具体的に条件式（１）は、第３レンズ群Ｇ３の短焦点距離端から中間焦点距離ｆｍ（ｆｍ＝（ｆｗ・ｆｔ）1/2、ｆｗは短焦点距離端における全系の焦点距離、ｆｔは長焦点距離端における全系の焦点距離）までの像側への移動量を規定している。
条件式（１）の下限を超えると、第３レンズ群Ｇ３が短焦点距離端から中間焦点距離にかけて物体側に移動することになり、光学性能を良好に保つためには、短焦点距離端での全長が長くなりカム筒の長さが長くなる等の鏡筒メカ構造の制約から収納時のコンパクト化が難しくなる。
【００２７】
条件式（２）は、第３レンズ群Ｇ３の短焦点距離端から長焦点距離端までの像側への移動量と、長焦点距離端における全系の焦点距離との比を規定している。
条件式（２）の上限を超えると、短焦点距離端から長焦点距離端への変倍に際する第３レンズ群Ｇ３の像側への移動量が大きくなりすぎて、レンズ鏡筒のメカ的構成が複雑になる。
条件式（２）の下限を超えると、第３レンズ群Ｇ３が短焦点距離端から長焦点距離端への変倍に際して物体側に移動することになり、光学性能を良好に保つためには長焦点距離端での全長が長くなって鏡筒メカ構造の制約から収納時のコンパクト化が難しくなる。
【００２８】
条件式（３）は、短焦点距離端における第１レンズ群Ｇ１の最も像側の面と第２レンズ群Ｇ２の最も物体側の面との間隔、及び第２レンズ群Ｇ２の最も像側の面と第３レンズ群Ｇ３の最も物体側の面との間隔の和と、長焦点距離端における全系の焦点距離との比を規定している。
条件式（３）の上限を超えると、短焦点距離端におけるレンズ全長が長くなりすぎて、収納時のコンパクト化が難しくなる。
【００２９】
上述したように、第３レンズ群Ｇ３は、全数値実施例１−７を通じて、その最も物体側に正レンズを有している。第３レンズ群Ｇ３には、この最も物体側の正レンズよりも像側にさらに１枚又は２枚以上の正レンズを含ませることができる。
条件式（４）はこの構成において、第３レンズ群Ｇ３中の最も物体側の正レンズの形状（シェーピングファクター）を規定するものであり、短焦点距離端から長焦点距離端にかけて第３レンズ群Ｇ３がフォーカシングして移動する際の像面湾曲の発生を良好に抑えるための条件式である。また、条件式（４）を条件式（１）ないし（３）と組み合わせることにより、短焦点距離端から長焦点距離端にかけて近距離変化による性能劣化を抑えることができる。
条件式（４）の上限を超えると、レンズ厚とレンズのコバ部分とでの変肉比が大きくなり、レンズ周縁部を通る軸外光束においてレンズの屈折面で非点収差やコマ収差が発生して光学性能が劣化する。
条件式（４）の下限を超えると、第３レンズ群Ｇ３の最も物体側の正レンズが像側に凸のメニスカス形状となり、近距離変化によって像面湾曲が発生しやすくなる。
【００３０】
条件式（５）は、長焦点距離端における無限遠合焦時の第２レンズ群Ｇ２の横倍率と、短焦点距離端における無限遠合焦時の第２レンズ群Ｇ２の横倍率との比を規定している。
条件式（５）の上限を超えると、変倍に際する第２レンズ群Ｇ２の移動量が大きくなりすぎてレンズ系の小型化が困難になる。第２レンズ群Ｇ２の屈折力を増やして変倍移動量を減らすことにより小型化を図ろうとすると、第２レンズ群Ｇ２中の各レンズの屈折面で球面収差、コマ収差が発生し、短焦点距離端から長焦点距離端にかけて良好な光学性能を得ることができなくなる。
条件式（５）の下限を超えると、４−５倍程度の所望の変倍比を得るのが困難になる。
【００３１】
ＣＣＤ等の固体撮像素子を使用するデジタルカメラの光学系は、テレセントリック性が必要となるが、テレセントリック性を追求しすぎるとレンズ系の小型化にとっては不利となる。テレセントリック性を保ちながらレンズ全長を短くするには各レンズ群の屈折力配置やレンズ構成に工夫が必要である。
【００３２】
上述したように、第２レンズ群Ｇ２は、全数値実施例１−７を通じて、その最も像側に負レンズを有している。
条件式（６）はこの構成において、第２レンズ群Ｇ２中の最も像側の負レンズの焦点距離と、短焦点距離端における全系の焦点距離との比、つまり第２レンズ群Ｇ２中の最も像側の負レンズの屈折率を規定している。
条件式（６）の上限を超えると、小型化を保ちながらテレセントリック性を維持するのが困難になり、また第２レンズ群Ｇ２中の各レンズの屈折面で球面収差、コマ収差が発生し、短焦点距離端から長焦点距離端にかけて良好な光学性能を得ることができなくなる。
【００３３】
さらに本実施形態では、第２レンズ群Ｇ２中の最も像側の負レンズの像側の面を凹面の発散面とすることで、短焦点距離端での軸外光束の光軸からの高さを上げ、比較的屈折力の強い第３レンズ群Ｇ３で光軸に平行に屈折させることでレンズ全長の短縮化とテレセントリック性を両立させている。
【実施例】
【００３４】
次に具体的な数値実施例を示す。以下の数値実施例は、本発明のズームレンズ系をデジタルカメラ等に用いる場合に対応している。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００３５】
［数値実施例１］
図１〜図６と表１〜表４は、本発明によるズームレンズ系の数値実施例１を示している。図１は長焦点距離端における無限遠合焦時のレンズ構成図、図２はその諸収差図であり、図３は中間焦点距離における無限遠合焦時のレンズ構成図、図４はその諸収差図であり、図５は短焦点距離端における無限遠合焦時のレンズ構成図、図６はその諸収差図である。表１は面データ、表２は各種データ、表３は非球面データ、表４はレンズ群データである。
【００３６】
本数値実施例１のズームレンズ系は、物体側から順に、負の屈折力を持つ第１レンズ群Ｇ１、正の屈折力を持つ第２レンズ群Ｇ２、及び正の屈折力を持つ第３レンズ群Ｇ３から構成されている。第３レンズ群Ｇ３は、フォーカシング時に移動するフォーカスレンズ群である（無限遠物体から有限距離物体へ合焦させるに際し第３レンズ群Ｇ３を物体側に繰り出してフォーカシングを行う）。
【００３７】
第１レンズ群Ｇ１（面番号１から４）は、物体側から順に、物体側に凸の負メニスカスレンズ１１、及び物体側に凸の正メニスカスレンズ１２からなる。正メニスカスレンズ１２は、その両面が非球面である。
【００３８】
第２レンズ群Ｇ２（面番号６から９）は、物体側から順に、両凸正レンズ２１、及び物体側に凸の負メニスカスレンズ２２からなる。両凸正レンズ２１は、その物体側の面が非球面である。負メニスカスレンズ２２は、その両面が非球面である。第２レンズ群Ｇ２（両凸正レンズ２１）の物体側の面に接する光軸直交面上に位置する絞りＳ（面番号５）は、第２レンズ群Ｇ２と一体に移動する。
【００３９】
第３レンズ群Ｇ３（面番号１０から１１）は、１枚の両凸正レンズ３１からなる。両凸正レンズ３１は、その両面が非球面である。第３レンズ群Ｇ３（両凸正レンズ３１）の後方（像面Ｉとの間）には、光学フィルタＯＰ（面番号１２から１３）とカバーガラスＣＧ（面番号１４から１５）が配置されている。
【００４０】
（表１）
面データ
面番号          r          d          N(d)        νｄ
1            38.607      0.700      1.72916       54.7
2             5.120      1.790
3*            9.120      1.820      1.63550       23.9
4*           16.317        d4
5絞            ∞        0.000
6*            4.383      1.820      1.49710       81.6
7           -13.371      0.280
8*            4.228      0.890      1.63550       23.9
9*            2.628        d9
10*          90.094      1.750      1.54358       55.7
11*         -18.963       d11
12             ∞        0.300      1.51680       64.2
13             ∞        0.560
14             ∞        0.500      1.51680       64.2
15             ∞          -
＊は回転対称非球面である。
（表２）
各種データ
ズーム比（変倍比）    3.99
短焦点距離端          中間焦点距離          長焦点距離端
FNO.            3.6                   5.0                   6.0
f              5.00                 10.00                 19.97
W              39.4                  21.8                  11.2
Y              3.49                  3.88                  3.88
fB             0.59                  0.59                  0.59
L             32.21                 28.82                 34.79
d4           14.037                 5.450                 1.157
d9            2.999                 8.296                18.710
d11           4.169                 4.076                 3.921
（表３）
非球面データ（表示していない非球面係数は0.00である）
面番号   K          A4             A6             A8            A10
3      0.000  -0.1930E-03    -0.2172E-04     0.1191E-05    -0.3355E-07
4      0.000  -0.7013E-03    -0.2217E-04     0.8842E-06    -0.4578E-07
6      0.000  -0.9262E-03    -0.4981E-04    -0.1906E-05
8      0.000  -0.4387E-02     0.2132E-03    -0.5445E-04     0.2876E-05
9      0.000  -0.6747E-02     0.2296E-03    -0.1407E-03    -0.6118E-05
10     0.000   0.7416E-03    -0.4495E-04     0.1584E-05
11     0.000   0.7904E-03    -0.5402E-04     0.1804E-05
（表４）
レンズ群データ
群          始面          焦点距離
1              1            -11.51
2              6              9.46
3             10             28.98
【００４１】
［数値実施例２］
図７〜図１２と表５〜表８は、本発明によるズームレンズ系の数値実施例２を示している。図７は長焦点距離端における無限遠合焦時のレンズ構成図、図８はその諸収差図であり、図９は中間焦点距離における無限遠合焦時のレンズ構成図、図１０はその諸収差図であり、図１１は短焦点距離端における無限遠合焦時のレンズ構成図、図１２はその諸収差図である。表５は面データ、表６は各種データ、表７は非球面データ、表８はレンズ群データである。
【００４２】
この数値実施例２のレンズ構成は、数値実施例１のレンズ構成と同様である。
【００４３】
（表５）
面データ
面番号          r          d          N(d)        νｄ
1            79.602      0.700      1.72916       54.7
2             5.407      1.648
3*            9.629      1.850      1.63548       23.9
4*           19.893        d4
5絞            ∞        0.000
6*            4.160      1.824      1.49710       81.6
7           -15.778      0.100
8*            4.461      0.885      1.63548       23.9
9*            2.739        d9
10*          96.774      1.770      1.54358       55.7
11*         -19.946       d11
12             ∞        0.300      1.51680       64.2
13             ∞        0.560
14             ∞        0.500      1.51680       64.2
15             ∞          -
＊は回転対称非球面である。
（表６）
各種データ
ズーム比（変倍比）    4.00
短焦点距離端          中間焦点距離          長焦点距離端
FNO.            3.3                   4.6                   6.0
f              5.00                 10.00                 19.99
W              39.4                  21.9                  11.2
Y              3.49                  3.88                  3.88
fB             0.59                  0.59                  0.59
L             32.45                 28.84                 34.65
d4           14.348                 5.551                 1.100
d9            2.984                 8.316                18.578
d11           4.390                 4.243                 4.243
（表７）
非球面データ（表示していない非球面係数は0.00である）
面番号   K          A4             A6             A8            A10
3      0.000  -0.2003E-03    -0.1073E-04     0.1097E-05    -0.2316E-07
4      0.000  -0.6926E-03    -0.4190E-05     0.6488E-06    -0.3550E-07
6      0.000  -0.1128E-02    -0.6186E-04    -0.2586E-05
8      0.000  -0.1729E-02    -0.1829E-03     0.2716E-04    -0.2726E-05
9      0.000  -0.1957E-02    -0.5749E-03     0.9254E-04    -0.1972E-04
10     0.000   0.5637E-03    -0.3129E-04     0.1542E-05
11     0.000   0.6257E-03    -0.4531E-04     0.1963E-05
（表８）
レンズ群データ
群          始面          焦点距離
1              1            -11.64
2              6              9.56
3             10             30.59
【００４４】
［数値実施例３］
図１３〜図１８と表９〜表１２は、本発明によるズームレンズ系の数値実施例３を示している。図１３は長焦点距離端における無限遠合焦時のレンズ構成図、図１４はその諸収差図であり、図１５は中間焦点距離における無限遠合焦時のレンズ構成図、図１６はその諸収差図であり、図１７は短焦点距離端における無限遠合焦時のレンズ構成図、図１８はその諸収差図である。表９は面データ、表１０は各種データ、表１１は非球面データ、表１２はレンズ群データである。
【００４５】
この数値実施例３のレンズ構成は、第２レンズ群Ｇ２の両凸正レンズ２１の両面が非球面である点を除き、数値実施例１のレンズ構成と同様である。
【００４６】
（表９）
面データ
面番号          r          d          N(d)        νｄ
1            28.589      0.700      1.72916       54.7
2             4.912      1.744
3*            8.340      1.820      1.63550       23.9
4*           13.151        d4
5絞            ∞        0.000
6*            4.689      2.000      1.59201       67.0
7*          -16.950      0.634
8*            7.619      0.800      1.63550       23.9
9*            3.679        d9
10*         100.000      1.600      1.54358       55.7
11*         -16.672       d11
12             ∞        0.300      1.51680       64.2
13             ∞        0.560
14             ∞        0.500      1.51680       64.2
15             ∞          -
＊は回転対称非球面である。
（表１０）
各種データ
ズーム比（変倍比）    4.00
短焦点距離端          中間焦点距離          長焦点距離端
FNO.            3.5                   5.0                   6.1
f              5.00                 10.00                 19.98
W              39.5                  21.7                  11.1
Y              3.49                  3.88                  3.88
fB             0.59                  0.59                  0.59
L             31.50                 28.80                 35.30
d4           13.395                 5.343                 1.417
d9            2.808                 8.192                19.178
d11           4.049                 4.015                 3.457
（表１１）
非球面データ（表示していない非球面係数は0.00である）
面番号   K          A4             A6             A8            A10
3      0.000  -0.3655E-03    -0.1723E-04     0.1118E-05    -0.2874E-07
4      0.000  -0.9302E-03    -0.1860E-04     0.1167E-05    -0.6479E-07
6      0.000  -0.7022E-03    -0.2931E-04     0.2313E-05
7      0.000  -0.7842E-03     0.1764E-03    -0.9093E-05
8      0.000  -0.5023E-02     0.7242E-03    -0.6975E-04
9      0.000  -0.3896E-02     0.9141E-03    -0.1005E-03
10     0.000   0.8237E-03    -0.8263E-04     0.5241E-05    -0.1314E-06
11     0.000   0.1005E-02    -0.1043E-03     0.6279E-05    -0.1493E-06
（表１２）
レンズ群データ
群          始面          焦点距離
1              1            -11.17
2              6              9.29
3             10             26.42
【００４７】
［数値実施例４］
図１９〜図２４と表１３〜表１６は、本発明によるズームレンズ系の数値実施例４を示している。図１９は長焦点距離端における無限遠合焦時のレンズ構成図、図２０はその諸収差図であり、図２１は中間焦点距離における無限遠合焦時のレンズ構成図、図２２はその諸収差図であり、図２３は短焦点距離端における無限遠合焦時のレンズ構成図、図２４はその諸収差図である。表１３は面データ、表１４は各種データ、表１５は非球面データ、表１６はレンズ群データである。
【００４８】
この数値実施例４のレンズ構成は、第３レンズ群Ｇ３をなす両凸正レンズ３１の両面が球面である（非球面ではない）点を除き、数値実施例１のレンズ構成と同様である。
【００４９】
（表１３）
面データ
面番号          r          d          N(d)        νｄ
1            50.653      0.700      1.72916       54.7
2             5.295      1.696
3*            9.462      1.850      1.63548       23.9
4*           19.393        d4
5絞            ∞        0.000
6*            4.616      1.983      1.49710       81.6
7           -12.267      0.100
8*            5.182      1.150      1.63548       23.9
9*            2.988        d9
10           52.766      1.770      1.54358       55.7
11          -16.582       d11
12             ∞        0.300      1.51680       64.2
13             ∞        0.560
14             ∞        0.500      1.51680       64.2
15             ∞          -
＊は回転対称非球面である。
（表１４）
各種データ
ズーム比（変倍比）    4.00
短焦点距離端          中間焦点距離          長焦点距離端
FNO.            3.2                   4.7                   6.0
f              5.00                 10.00                 19.99
W              39.3                  21.8                  11.1
Y              3.49                  3.88                  3.88
fB             0.59                  0.59                  0.59
L             32.53                 29.48                 34.80
d4           14.187                 5.781                 1.100
d9            3.448                 9.767                19.770
d11           3.691                 2.730                 2.730
（表１５）
非球面データ（表示していない非球面係数は0.00である）
面番号   K          A4             A6             A8            A10
3      0.000  -0.1656E-03    -0.1927E-04     0.1202E-05    -0.4368E-08
4      0.000  -0.6015E-03    -0.2550E-04     0.1919E-05    -0.5067E-07
6      0.000  -0.6464E-03    -0.1031E-03     0.2783E-05
8      0.000  -0.2559E-02     0.9375E-04    -0.5801E-05    -0.6994E-06
9      0.000  -0.3230E-02    -0.1689E-04    -0.3958E-05    -0.6512E-05
（表１６）
レンズ群データ
群          始面          焦点距離
1              1            -12.09
2              6              9.68
3             10             23.42
【００５０】
［数値実施例５］
図２５〜図３０と表１７〜表２０は、本発明によるズームレンズ系の数値実施例５を示している。図２５は長焦点距離端における無限遠合焦時のレンズ構成図、図２６はその諸収差図であり、図２７は中間焦点距離における無限遠合焦時のレンズ構成図、図２８はその諸収差図であり、図２９は短焦点距離端における無限遠合焦時のレンズ構成図、図３０はその諸収差図である。表１７は面データ、表１８は各種データ、表１９は非球面データ、表２０はレンズ群データである。
【００５１】
この数値実施例５のレンズ構成は、数値実施例３のレンズ構成と同様である。
【００５２】
（表１７）
面データ
面番号          r          d          N(d)        νｄ
1           112.076      0.700      1.72916       54.7
2             5.453      1.564
3*            9.669      1.701      1.63548       23.9
4*           22.216        d4
5絞            ∞        0.000
6*            4.468      2.082      1.72903       54.0
7*          -27.886      0.100
8*            8.123      0.885      1.63548       23.9
9*            2.976        d9
10*          30.330      1.900      1.54358       55.7
11*         -14.488       d11
12             ∞        0.300      1.51680       64.2
13             ∞        0.560
14             ∞        0.500      1.51680       64.2
15             ∞          -
＊は回転対称非球面である。
（表１８）
各種データ
ズーム比（変倍比）    4.00
短焦点距離端          中間焦点距離          長焦点距離端
FNO.            3.2                   4.8                   5.9
f              5.00                 10.00                 20.00
W              39.4                  21.8                  11.1
Y              3.49                  3.88                  3.88
fB             0.59                  0.59                  0.59
L             30.79                 28.75                 34.49
d4           13.151                 5.690                 1.176
d9            3.837                10.377                20.314
d11           2.917                 1.800                 2.118
（表１９）
非球面データ（表示していない非球面係数は0.00である）
面番号   K          A4             A6             A8            A10
3      0.000  -0.2322E-03    -0.9696E-05     0.1232E-05    -0.5552E-07
4      0.000  -0.7571E-03     0.4189E-05    -0.9130E-07    -0.3730E-07
6      0.000  -0.2759E-03
7      0.000  -0.2422E-03
8      0.000  -0.5524E-02
9      0.000  -0.4825E-02
10     0.000   0.3507E-03    -0.7190E-04     0.4139E-05    -0.8685E-07
11     0.000   0.6093E-03    -0.9817E-04     0.5251E-05    -0.1024E-06
（表２０）
レンズ群データ
群          始面          焦点距離
1              1            -11.92
2              6              9.40
3             10             18.31
【００５３】
［数値実施例６］
図３１〜図３６と表２１〜表２４は、本発明によるズームレンズ系の数値実施例６を示している。図３１は長焦点距離端における無限遠合焦時のレンズ構成図、図３２はその諸収差図であり、図３３は中間焦点距離における無限遠合焦時のレンズ構成図、図３４はその諸収差図であり、図３５は短焦点距離端における無限遠合焦時のレンズ構成図、図３６はその諸収差図である。表２１は面データ、表２２は各種データ、表２３は非球面データ、表２４はレンズ群データである。
【００５４】
この数値実施例６のレンズ構成は、第２レンズ群Ｇ２が、物体側から順に、物体側から順に位置する両凸正レンズ２１’と像側に凸の負メニスカスレンズ２２’の接合レンズ、及び物体側に凸の負メニスカスレンズ２３’からなり、負メニスカスレンズ２３’の両面が非球面である点を除き、数値実施例１のレンズ構成と同様である。
【００５５】
（表２１）
面データ
面番号          r          d          N(d)        νｄ
1            39.659      0.800      1.72916       54.7
2             5.182      1.672
3*            7.707      1.848      1.63548       23.9
4*           13.310        d4
5絞            ∞        0.000
6             5.803      2.097      1.83481       42.7
7            -8.596      0.733      1.84666       23.8
8          -150.635      0.354
9*            5.587      1.000      1.63548       23.9
10*           3.027       d10
11*          61.105      1.800      1.54358       55.7
12*         -11.501       d12
13             ∞        0.300      1.51680       64.2
14             ∞        0.560
15             ∞        0.500      1.51680       64.2
16             ∞          -
＊は回転対称非球面である。
（表２２）
各種データ
ズーム比（変倍比）    4.00
短焦点距離端          中間焦点距離          長焦点距離端
FNO.            3.3                   4.6                   6.0
f              5.00                  9.98                 19.98
W              39.4                  21.7                  11.1
Y              3.49                  3.88                  3.88
fB             0.59                  0.59                  0.59
L             33.44                 29.60                 34.50
d4           14.823                 6.127                 1.490
d10           4.174                 9.428                18.947
d12           2.187                 1.800                 1.810
（表２３）
非球面データ（表示していない非球面係数は0.00である）
面番号   K          A4             A6             A8            A10
3      0.000  -0.3243E-03     0.5952E-05    -0.1780E-06    -0.1424E-07
4      0.000  -0.7859E-03     0.1624E-04    -0.1443E-05     0.4331E-09
9      0.000  -0.4225E-02    -0.1376E-03     0.3380E-06    -0.1748E-06
10     0.000  -0.4792E-02    -0.2471E-03    -0.3301E-04     0.1386E-05
11     0.000   0.1404E-03    -0.1917E-04     0.2643E-05    -0.1183E-06
12     0.000   0.2939E-03    -0.1467E-04     0.1983E-05    -0.9536E-07
（表２４）
レンズ群データ
群          始面          焦点距離
1              1            -12.36
2              6              9.37
3             11             17.96
【００５６】
［数値実施例７］
図３７〜図４２と表２５〜表２８は、本発明によるズームレンズ系の数値実施例７を示している。図３７は長焦点距離端における無限遠合焦時のレンズ構成図、図３８はその諸収差図であり、図３９は中間焦点距離における無限遠合焦時のレンズ構成図、図４０はその諸収差図であり、図４１は短焦点距離端における無限遠合焦時のレンズ構成図、図４２はその諸収差図である。表２５は面データ、表２６は各種データ、表２７は非球面データ、表２８はレンズ群データである。
【００５７】
この数値実施例７のレンズ構成は、第１レンズ群Ｇ１の負レンズ１１が両凹負レンズである点、及び第２レンズ群Ｇ２の負レンズ２２’が両凹負レンズである点を除き、数値実施例６のレンズ構成と同様である。
【００５８】
（表２５）
面データ
面番号          r          d          N(d)        νｄ
1          -209.943      0.700      1.72916       54.7
2             6.695      1.670
3*           12.233      2.030      1.63548       23.9
4*           33.112        d4
5絞            ∞        0.000
6             5.912      2.390      1.88300       40.8
7           -24.552      0.700      1.94594       18.0
8            28.695      0.100
9*            5.564      1.000      1.60641       27.2
10*           3.504       d10
11*          85.678      1.780      1.54358       55.7
12*         -10.585       d12
13             ∞        0.300      1.51680       64.2
14             ∞        0.560
15             ∞        0.500      1.51680       64.2
16             ∞          -
＊は回転対称非球面である。
（表２６）
各種データ
ズーム比（変倍比）    4.83
短焦点距離端          中間焦点距離          長焦点距離端
FNO.            3.3                   4.9                   6.6
f              4.69                 10.34                 22.64
W              41.5                  20.8                   9.8
Y              3.49                  3.88                  3.88
fB             0.59                  0.59                  0.59
L             36.50                 31.52                 38.50
d4           17.498                 6.404                 1.052
d10           3.537                10.278                22.949
d12           3.145                 2.522                 2.179
（表２７）
非球面データ（表示していない非球面係数は0.00である）
面番号   K          A4             A6             A8            A10
3      0.000   0.1029E-04    -0.8259E-05     0.6123E-06    -0.1147E-07
4      0.000  -0.2739E-03    -0.8318E-05     0.5437E-06    -0.1428E-07
9      0.000  -0.1309E-02     0.8577E-04    -0.3807E-04     0.2619E-05
10     0.000  -0.1695E-04     0.3521E-03    -0.1058E-03     0.9102E-05
11     0.000   0.2271E-03     0.1361E-05     0.1177E-06    -0.1325E-08
12     0.000   0.6937E-03    -0.2325E-04     0.1203E-05    -0.2007E-07
（表２８）
レンズ群データ
群          始面          焦点距離
1              1            -13.37
2              6             10.36
3             11             17.45
【００５９】
各数値実施例の各条件式に対する値を表２９に示す。
（表２９）
実施例１     実施例２     実施例３     実施例４
条件式（１）    0.093        0.147        0.034        0.961
条件式（２）    0.012        0.007        0.030        0.048
条件式（３）    0.853        0.867        0.811        0.882
条件式（４）    1.533        1.519        1.400        1.917
条件式（５）    3.949        3.976        3.884        3.793
条件式（６）   -2.788       -2.790       -2.430       -2.790
実施例５     実施例６     実施例７
条件式（１）    1.117        0.387        0.623
条件式（２）    0.040        0.019        0.043
条件式（３）    0.849        0.951        0.929
条件式（４）    2.829        1.464        1.282
条件式（５）    3.773        3.895        4.478
条件式（６）   -1.584       -2.452       -4.077
【００６０】
表２９から明らかなように、数値実施例１〜数値実施例７は、条件式（１）〜（６）を満足しており、また諸収差図から明らかなように諸収差は比較的よく補正されている。
【符号の説明】
【００６１】
Ｇ１  負の屈折力を持つ第１レンズ群
１１  負レンズ
１２  正レンズ
Ｇ２  正の屈折力を持つ第２レンズ群
２１  正レンズ
２２  負レンズ
２１’  正レンズ
２２’  負レンズ
２３’  負レンズ
Ｇ３  正の屈折力を持つ第３レンズ群
３１  正レンズ
ＯＰ  光学フィルタ
ＣＧ  カバーガラス
Ｓ  絞り
Ｉ  像面
【図１】
0005579573.tif 000002
【図２】
0005579573.tif 000003
【図３】
0005579573.tif 000004
【図４】
0005579573.tif 000005
【図５】
0005579573.tif 000006
【図６】
0005579573.tif 000007
【図７】
0005579573.tif 000008
【図８】
0005579573.tif 000009
【図９】
0005579573.tif 000010
【図１０】
0005579573.tif 000011
【図１１】
0005579573.tif 000012
【図１２】
0005579573.tif 000013
【図１３】
0005579573.tif 000014
【図１４】
0005579573.tif 000015
【図１５】
0005579573.tif 000016
【図１６】
0005579573.tif 000017
【図１７】
0005579573.tif 000018
【図１８】
0005579573.tif 000019
【図１９】
0005579573.tif 000020
【図２０】
0005579573.tif 000021
【図２１】
0005579573.tif 000022
【図２２】
0005579573.tif 000023
【図２３】
0005579573.tif 000024
【図２４】
0005579573.tif 000025
【図２５】
0005579573.tif 000026
【図２６】
0005579573.tif 000027
【図２７】
0005579573.tif 000028
【図２８】
0005579573.tif 000029
【図２９】
0005579573.tif 000030
【図３０】
0005579573.tif 000031
【図３１】
0005579573.tif 000032
【図３２】
0005579573.tif 000033
【図３３】
0005579573.tif 000034
【図３４】
0005579573.tif 000035
【図３５】
0005579573.tif 000036
【図３６】
0005579573.tif 000037
【図３７】
0005579573.tif 000038
【図３８】
0005579573.tif 000039
【図３９】
0005579573.tif 000040
【図４０】
0005579573.tif 000041
【図４１】
0005579573.tif 000042
【図４２】
0005579573.tif 000043
【図４３】
0005579573.tif 000044